(57)【特許請求の範囲】
【請求項１】
記憶部に記憶されている画像データをサーバ装置へ送信して登録する第１送信部と、
前記サーバ装置から動画データを保存可能な保存場所情報を受信する受信部と、
前記画像データ及び前記保存場所情報を画像プリント装置へ転送する転送部と、
前記画像プリント装置により前記画像データ及び前記保存場所情報をコード化したコード画像がプリントされたプリント物の前記コード画像を、カメラを用いて読み取って、前記保存場所情報を取得する取得部と、
前記取得部が取得した保存場所情報に基づいて前記サーバ装置にアクセスし、前記記憶部に記憶されている動画データを前記サーバ装置に送信し、前記画像データに紐付けて登録する第２送信部と、
として携帯端末のコンピュータを機能させるためのプログラムであって、
前記取得部は、前記カメラを用いて、前記プリント物にプリントされたコード画像を読み取って前記保存場所情報を取得し、前記保存場所情報に基づいて前記サーバ装置にアクセスして前記画像データを取得すると共に、前記カメラを用いて前記プリント物上の画像を取得し、
前記携帯端末のコンピュータを、さらに、
前記サーバ装置から取得した画像と、前記プリント物上の画像の特徴点を比較する比較部と、
特徴点が一致した場合に、前記サーバ装置から前記画像データに対応する動画データを受信し、前記動画データを、前記カメラで撮影している前記プリント物の画像に重畳させて再生する再生部と、
として機能させるためのプログラム。
【請求項２】
請求項１において、さらに、
前記保存場所情報の受信後、所定期間内に前記画像データ及び前記保存場所情報が画像プリント装置へ転送されない場合、又は画像プリント装置へ転送されていない前記画像データ及び前記保存場所情報の数が所定数に達した場合に、未購入のプリント物があることを報知する期限管理部として携帯端末のコンピュータを機能させるためのプログラム。
【発明の詳細な説明】
【技術分野】
【０００１】
本発明は、携帯端末においてＡＲ技術により動画を再生するためのサーバ装置、動画データ配信方法、及びプログラムに関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像を表示し、利用者に提示する。そして、利用者が、プリントする画像を選択し、プリントサイズやプリント枚数を指定すると、画像プリント装置は画像を指定されたサイズでプリント出力する。このような画像プリント装置においては、利用者のニーズが多様化しており、常に新たなサービスが求められている。
【０００３】
従来、タブレット端末やスマートフォン等の携帯端末で撮影した現実空間の画像上に、仮想物体等の画像を重畳して表示する拡張現実（ＡＲ：Ａｕｇｍｅｎｔｅｄ  Ｒｅａｌｉｔｙ）技術が知られている（例えば特許文献１、２参照）。
【先行技術文献】
【特許文献】
【０００４】
【特許文献１】特開２０１１−８７５２号公報
【特許文献２】特表２０１２−５０３２２８号公報
【発明の概要】
【発明が解決しようとする課題】
【０００５】
本発明は、上記従来の実状に鑑みてなされたものであり、画像プリント装置から出力されたプリント物を携帯端末で撮影することで、プリント物に動画が重畳して再生されるように携帯端末へ動画データを配信するサーバ装置、動画データ配信方法、及びプログラムを提供することを課題とする。
【課題を解決するための手段】
【０００６】
本発明の一態様によるサーバ装置は、携帯端末から画像データを受信する第１受信部と、前記画像データを保存する記憶部と、前記画像データの受信に伴い、動画データを保存可能な保存場所情報を、前記画像データの送信元の携帯端末へ送信する第１送信部と、前記画像データ及び前記保存場所情報をコード化したコード画像がプリントされたプリント物から前記コード画像を読み取り、読み取ったコード画像から前記保存場所情報を取得してアクセスしてきた携帯端末から動画データを受信し、前記画像データと紐付けて前記記憶部に保存する第２受信部と、前記動画データの保存後、前記プリント物から前記コード画像を読み取り、読み取ったコード画像から前記保存場所情報を取得してアクセスしてきた携帯端末へ、前記動画データを送信する第２送信部と、を備えるものである。
【０００７】
本発明の一態様によるサーバ装置において、前記第２送信部は、前記携帯端末が前記プリント物から読み取った画像の特徴点と、前記記憶部に保存された画像データの特徴点とが一致した場合に、前記携帯端末へ前記動画データを送信することを特徴とする。
【０００８】
本発明の一態様によるサーバ装置において、前記第１受信部は前記画像データと共にパスワードを受信し、前記第２受信部は、前記第１受信部が受信したパスワードと、前記動画データの送信元の携帯端末から送信されたパスワードとが一致した場合に、前記動画データを前記記憶部に保存することを特徴とする。
【０００９】
本発明の一態様によるプログラムは、記憶部に記憶されている画像データをサーバ装置へ送信して登録する第１送信部と、前記サーバ装置から動画データを保存可能な保存場所情報を受信する受信部と、前記画像データ及び前記保存場所情報を画像プリント装置へ転送する転送部と、前記画像プリント装置により前記画像データ及び前記保存場所情報をコード化したコード画像がプリントされたプリント物の前記コード画像を、カメラを用いて読み取って、前記保存場所情報を取得する取得部と、前記取得部が取得した保存場所情報に基づいて前記サーバ装置にアクセスし、前記記憶部に記憶されている動画データを前記サーバ装置に送信し、前記画像データに紐付けて登録する第２送信部と、として携帯端末のコンピュータを機能させるものである。
【００１０】
本発明の一態様によるプログラムにおいて、前記取得部は、前記カメラを用いて、前記プリント物にプリントされたコード画像を読み取って前記保存場所情報を取得し、前記保存場所情報に基づいて前記サーバ装置にアクセスして前記画像データを取得すると共に、前記カメラを用いて前記プリント物上の画像を取得し、前記携帯端末のコンピュータを、さらに、前記サーバ装置から取得した画像と、前記プリント物上の画像の特徴点を比較する比較部と、特徴点が一致した場合に、前記サーバ装置から前記画像データに対応する動画データを受信し、前記動画データを、前記カメラで撮影している前記プリント物の画像に重畳させて再生する再生部と、として機能させる。
【００１１】
本発明の一態様によるプログラムは、前記保存場所情報の受信後、所定期間内に前記画像データ及び前記保存場所情報が画像プリント装置へ転送されない場合、又は画像プリント装置へ転送されていない前記画像データ及び前記保存場所情報の数が所定数に達した場合に、未購入のプリント物があることを報知する期限管理部として携帯端末のコンピュータを機能させる。
【００１２】
本発明の一態様による動画データ配信方法は、携帯端末が、画像データをサーバ装置へ送信して登録するステップと、前記サーバ装置が、前記画像データの受信に伴い、動画データを保存可能な保存場所情報を前記携帯端末へ送信するステップと、前記携帯端末が、前記画像データ及び前記保存場所情報を画像プリント装置へ転送するステップと、前記画像プリント装置が、前記保存場所情報をコード化してコード画像を生成し、前記画像データと前記コード画像とを合成した合成画像を印画紙にプリントしてプリント物を出力するステップと、携帯端末が、カメラを用いて、前記プリント物にプリントされたコード画像を読み取って前記保存場所情報を取得し、前記保存場所情報に基づいて前記サーバ装置にアクセスして動画データを送信して登録するステップと、前記動画データの登録後、携帯端末が、カメラを用いて、前記プリント物にプリントされたコード画像を読み取って前記保存場所情報を取得し、前記保存場所情報に基づいて前記サーバ装置にアクセスして前記動画データを取得し、前記動画データを、前記カメラで撮影している前記プリント物の画像に重畳させて再生するステップと、を備えるものである。
【発明の効果】
【００１３】
本発明によれば、画像プリント装置から出力されたプリント物を携帯端末で撮影することで、プリント物に動画が重畳して再生されるように携帯端末へ動画データを配信する。
【図面の簡単な説明】
【００１４】
【図１】本実施形態に係る動画データ配信システムの概略構成図である。
【図２】画像プリント装置から出力されるプリント物の例を示す図である。
【図３】携帯端末の構成図である。
【図４】動画登録再生アプリを実行することで実現される機能ブロック図である。
【図５】サーバ装置の構成図である。
【図６】画像プリント装置の構成図である。
【図７】画像販売プログラムを実行することで実現される機能ブロック図である。
【図８】本実施形態に係る動画データ配信方法を説明するシーケンス図である。
【発明を実施するための形態】
【００１５】
以下、本発明の実施の形態を図面に基づいて説明する。
【００１６】
図１は、本実施形態に係る動画データ配信システムの概略構成図である。図１に示すように、動画データ配信システムは、サーバ装置１、画像プリント装置２、及び携帯端末４（４Ａ、４Ｂ、４Ｃ）を備える。携帯端末４は、カメラや通信機能を持つスマートフォンやタブレット機器等である。
【００１７】
携帯端末４Ａは、画像データをサーバ装置１に登録する。画像データは、例えば携帯端末４Ａのカメラで撮影した画像や、ユーザが作成した画像のデータである。携帯端末４Ｂは、動画データをサーバ装置１に登録する。動画データは、例えば携帯端末４Ｂのカメラで撮影した動画や、ユーザが作成した動画のデータである。携帯端末４Ａ、４Ｂ、４Ｃは同じ端末であってもよいし、少なくとも１つが異なる端末でもよい。
【００１８】
サーバ装置１は、携帯端末４Ａから画像データを受信すると、この画像データに対応する動画データを保存可能な保存場所情報（例えばＵＲＬ）を携帯端末４Ａへ送信する。
【００１９】
ユーザが、携帯端末４Ａから画像データ及び保存場所情報を画像プリント装置２へ転送し、料金を支払うと、画像プリント装置２は保存場所情報をコード化して二次元コードを生成し、二次元コード画像と、携帯端末４Ａから受信した画像データの画像とを合成し、合成画像を印画紙にプリントしてプリント物３を出力する。これにより、図２に示すように、画像３１及び二次元コード３２がプリントされたプリント物３が作成される。
【００２０】
ユーザが携帯端末４Ｂのカメラでプリント物３上の二次元コード３２を撮影すると、携帯端末４Ｂは二次元コード３２を読み取って保存場所情報を取得し、サーバ装置１にアクセスする。サーバ装置１は、アクセスしてきた携帯端末４Ｂに対し、動画データが未だ保存されていないことを通知する。携帯端末４Ｂは、この通知に基づいて、サーバ装置１に動画データを送信（アップロード）する。サーバ装置１は、保存場所情報に基づいて、携帯端末４Ａから受信した画像データと、携帯端末４Ｂから受信した動画データとを紐付けて保存する。
【００２１】
動画データの登録後、ユーザが携帯端末４Ｃのカメラでプリント物３上の二次元コード３２を撮影すると、携帯端末４Ｃは二次元コード３２を読み取って保存場所情報を取得し、サーバ装置１にアクセスする。
【００２２】
携帯端末４Ｃは、サーバ装置１から画像データを取得するとともに、携帯端末４Ｃのカメラでプリント物３の画像３１を撮影するようユーザに指示する。ユーザが携帯端末４Ｃのカメラで画像３１を撮影すると、携帯端末４Ｃは、撮影された画像３１と、サーバ装置１から取得した画像との特徴点を比較して照合する。照合により２つの画像が一致した場合、携帯端末４Ｃはサーバ装置１から画像３１に対応する動画データを取得し、ディスプレイ上で動画を再生する。動画再生には公知のＡＲ技術が用いられ、携帯端末４Ｃのカメラで撮影しているプリント物３に動画が重畳して再生される。
【００２３】
このように、動画データ配信システムでは、ユーザＡが携帯端末４（４Ａ）からサーバ装置１に画像データを登録し、サーバ装置１が動画データを保存するための保存場所情報を携帯端末４（４Ａ）に通知する。ユーザＡは携帯端末４（４Ａ）から画像プリント装置２へ画像データ及び保存場所情報を転送し、画像３１及び二次元コード３２がプリントされたプリント物３を購入する。
【００２４】
画像プリント装置２でプリント物３を購入したユーザＡ、又はユーザＡからプリント物３を譲渡されたユーザＢは、携帯端末４（４Ｂ）で二次元コード３２を読み取り、サーバ装置１にアクセスして、サーバ装置１に動画データを登録する。その後、プリント物３を所有するユーザＣは、携帯端末４（４Ｃ）で二次元コード３２を読み取り、サーバ装置１にアクセスして動画データを受信・再生し、画像３１に対応する動画を視聴することができる。
【００２５】
これにより、例えば、ユーザＡは、プリント物３を、動画を紐付け可能な写真としてユーザＢに譲渡することができる。ユーザＢは、携帯端末４を用いてプリント物３の二次元コード３２からサーバ装置１にアクセスし、動画を登録する。動画登録後は、携帯端末４を用いてプリント物３の二次元コード３２からサーバ装置１にアクセスすると、プリント物３の画像３１に紐付けられた動画を楽しむことができるようになる。ユーザＢは、プリント物３を、動画付きの写真としてユーザＣに譲渡することができる。
【００２６】
あるいはまた、ユーザＡは、プリント物３を、動画を紐付け可能な写真として販売し、ユーザＢの購入時に、ユーザＢとのツーショット動画などユーザＢの所望する特典動画をその場で撮影し、サーバ装置１に登録することができる。
【００２７】
図３は、携帯端末４のブロック構成図である。携帯端末４は、ＣＰＵ４０、メモリ４１、カメラ４２、通信部４３、及びディスプレイ（タッチパネル）４４を備える。図１に示す例では、画像データの登録、動画データの登録、動画の再生をそれぞれ異なる携帯端末４Ａ、４Ｂ、４Ｃで行っていたが、これらの処理は１台の携帯端末４で行うことができる。ここでは、画像データの登録、動画データの登録、及び動画の再生を行う携帯端末４の構成について説明する。
【００２８】
メモリ４１は、画像データ、動画データ、及び動画登録再生アプリ（アプリケーションプログラム）を記憶する。メモリ４１は、フラッシュメモリタイプ、ハードディスクタイプ、マルチメディアカードマイクロタイプ、カードタイプのメモリ（例えば、ＳＤ又はＸＤメモリなど）、ＲＡＭ（Random  Access  Memory）、ＳＲＡＭ（Static  Random  Access  Memory）、ＲＯＭ（Read-Only  Memory）、ＥＥＰＲＯＭ（Electrically  Erasable  Programmable  Read-Only  Memory）、ＰＲＯＭ（Programmable  Read-Only  Memory）、磁気メモリの少なくとも１つのタイプの記憶媒体を含む。
【００２９】
ＣＰＵ４０が動画登録再生アプリを実行することで、図４に示すように、登録部５０、転送部６０、及び再生部７０が実現され、サーバ装置１へのデータ登録、画像プリント装置２へのデータ転送、サーバ装置１からの動画の取得・再生などが行えるようになる。
【００３０】
登録部５０は、画像選択部５１、動画選択部５２、データ送信部５３、及び保存場所情報受信部５４を有する。
【００３１】
画像選択部５１は、メモリ４１に記憶されている１又は複数の画像データをディスプレイ４４にサムネイル表示し、ユーザから、サーバ装置１に登録する画像（プリント物３にプリントされる画像３１）の選択を受け付ける。
【００３２】
動画選択部５２は、メモリ４１に記憶されている１又は複数の動画データの選択画面をディスプレイ４４に表示し、ユーザから、サーバ装置１に登録する動画の選択を受け付ける。
【００３３】
データ送信部５３（第１送信部）は、通信部４３を用いて、ユーザにより選択された画像データをサーバ装置１へ送信する。また、データ送信部５３（第２送信部）は、カメラ４２を用いてプリント物３にプリントされた二次元コード３２から読み取られた保存場所情報を用いて、通信部４３を介してサーバ装置１にアクセスし、ユーザにより選択された動画データをサーバ装置１へ送信する。
【００３４】
保存場所情報受信部５４は、通信部４３を介して、サーバ装置１から、動画データを保存するための保存場所情報を受信する。
【００３５】
転送部６０は、通信部４３を用いて、データ送信部５３がサーバ装置１へ送信した画像データと、保存場所情報受信部５４がサーバ装置１から受信した保存場所情報とを画像プリント装置２へ転送する。
【００３６】
再生部７０は、画像取得部７１、特徴点比較部７２、及び動画再生部７３を有する。
【００３７】
画像取得部７１は、カメラ４２を用いてプリント物３にプリントされた二次元コード３２から保存場所情報を読み取り、通信部４３を介してサーバ装置１にアクセスし、画像３１に対応する画像データを取得する。また、画像取得部７１はカメラ４２を用いてプリント物３上の画像３１を取得する。
【００３８】
特徴点比較部７２は、サーバ装置１から取得した画像と、カメラ４２で撮影したプリント物３の画像３１との特徴点を比較する。特徴点が合致した場合、動画再生部７３は、サーバ装置１から動画データを受信する。特徴点が不一致の場合、ディスプレイ４４に再生不可であることが表示される。
【００３９】
動画再生部７３は、公知のＡＲ技術を用いて、受信した動画データを、カメラ４２で撮影しているプリント物３の画像３１に重畳させて再生する。例えば、検出した画像３１の特徴点を追跡してカメラ４２の位置姿勢を推定し、カメラ画像と動画の位置合わせを行う。
【００４０】
図５はサーバ装置１の構成図である。サーバ装置１は、画像データ受信部１１、動画データ受信部１２、保存場所情報送信部１３、画像データ送信部１４、動画データ送信部１５、動画配信管理部１６、及びデータベース１７を備え、例えばコンピュータにより構成される。
【００４１】
画像データ受信部１１は、携帯端末４から画像データを受信し、データベース１７に格納する。保存場所情報送信部１３は、携帯端末４から画像データを受信すると、この画像データに紐付ける動画データを保存するための保存場所情報を携帯端末４へ送信する。
【００４２】
動画データ受信部１２は、携帯端末４が保存場所情報に基づいてサーバ装置１にアクセスし、この保存場所情報に対応する動画データが未だ登録されていない場合、携帯端末４から動画データを受信する。動画データ受信部１２は、受信した動画データを、事前に登録されている画像データに紐付けてデータベース１７に格納する。
【００４３】
画像データ送信部１４は、携帯端末４が動画の再生にあたり保存場所情報に基づいてサーバ装置１にアクセスしてきた場合、この保存場所情報に対応する画像データを携帯端末４へ送信する。
【００４４】
動画データ送信部１５は、携帯端末４からの要求に応じて、携帯端末４へ動画データを送信する。携帯端末４へ送信する動画データは、携帯端末４がアクセスしてきた際に用いた保存場所情報に対応したものである。
【００４５】
データベース（記憶部）１７は、画像データ、動画データ、及び管理情報を保存する。画像データ及び動画データは、携帯端末４から受信したものである。管理情報は、画像データと動画データとの対応関係や、データが登録された日付等の情報を含む。サーバ装置１は、画像データや動画データを登録した携帯端末４の端末情報（個体識別情報等）を取得する端末情報取得部をさらに備え、取得した端末情報を管理情報に含めてもよい。端末情報として、携帯端末４にインストールされている動画登録再生アプリのアプリＩＤを取得してもよい。これにより、データベース１７内の画像データ及び動画データの登録日や登録に使用された携帯端末４の情報を管理することができる。
【００４６】
データベース１７は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００４７】
動画配信管理部１６は、携帯端末４から受信した画像データをデータベース１７に保存すると、この画像データに対応する動画データの保存先となる保存場所情報を生成し、この保存場所情報を含む管理情報を作成する。携帯端末４による動画データの登録の際、動画配信管理部１６は、管理情報を参照し、携帯端末４がアクセスしてきた際の保存場所情報から、対応する画像データを特定し、画像データと携帯端末４から送信された動画データとを紐付ける。また、携帯端末４による動画データの再生の際、動画配信管理部１６は、管理情報を参照し、携帯端末４がアクセスしてきた際の保存場所情報から、携帯端末４へ送信する画像データ及び動画データを特定する。
【００４８】
図６は、画像プリント装置２のブロック構成図である。図６に示すように、画像プリント装置２は、ＣＰＵ（中央処理部）２０、タッチパネル（表示部、操作部）２１、課金部２２、プリンタ２３、通信部２４、及びメモリ２５を有する。画像プリント装置２は、デジタルカメラ等で撮影した画像データが記憶された記憶媒体から画像データを読み取り、読み取った画像をタッチパネル２１に表示し、ユーザから画像の選択、プリントサイズやプリント枚数の指定を受け付け、プリンタ２３により画像をプリント出力する機能を備えている。
【００４９】
課金部２２は、投入された貨幣を識別計数し、釣銭を出金する。プリンタ２３は、例えば昇華型熱転写方式の高解像度カラープリンタである。
【００５０】
メモリ２５は、制御プログラム及び販売プログラムを記憶する。メモリ２５は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００５１】
ＣＰＵ２０が制御プログラムを実行することで、画像プリント装置２の各部を制御する制御部として機能する。
【００５２】
ＣＰＵ２０が販売プログラムを実行することで、図７に示すように、データ受信部２６、コード化処理部２７、及び画像合成部２８が実現され、プリント物３の販売が行えるようになる。
【００５３】
データ受信部２６は、タッチパネル２１を介してユーザから動画付き写真（動画を登録できる写真）のプリント注文開始指示を受け付けると、通信部２４の無線通信機能を利用して、携帯端末４から画像データ及び保存場所情報を受信する。
【００５４】
コード化処理部２７は、受信した保存場所情報をコード化して二次元コード画像を生成する。画像合成部２８は、二次元コード画像を、受信した画像データに合成して合成画像を作成する。合成画像における二次元コード画像の配置場所をユーザが指示できるようにしてもよい。制御部が合成画像をプリンタ２３へ転送すると、プリンタ２３は、合成画像を印画紙にプリントし、プリント物３を出力する。
【００５５】
図８は、本実施形態による画像・動画の登録及び動画再生の処理の流れを示す図である。ここでは、ユーザＡが携帯端末４Ａを用いて画像をサーバ装置１に登録し、ユーザＢが携帯端末４Ｂを用いて動画をサーバ装置１に登録し、ユーザＣが携帯端末４Ｃを用いて動画を再生する例について説明する。携帯端末４Ａ、４Ｂ、４Ｃは、それぞれ上述の携帯端末４と同様の構成となっている。なお、ユーザＡ（携帯端末４Ａ）、ユーザＢ（携帯端末４Ｂ）、ユーザＣ（携帯端末４Ｃ）は全てが異なっていてもよく、いずれか１名（１台）が異なっていてもよく、全てが同じであってもよい。
【００５６】
ユーザＡが、携帯端末４Ａを操作し、動画登録再生アプリを実行して、画像登録モードを選択すると、メモリ４１内の画像データが選択できるようになる。ユーザＡがいずれかの画像データを選択すると（ステップＳ１０１）、データ送信部５３が、選択された画像データをサーバ装置１へ送信する（ステップＳ１０２）。
【００５７】
サーバ装置１は、携帯端末４Ａから受信した画像データをデータベース１７に保存すると共に、動画データを保存するための記憶領域を確保し、この記憶領域を特定するための保存場所情報を携帯端末４Ａに通知する（ステップＳ１０３）。
【００５８】
ユーザＡは、画像プリント装置２を操作し、動画付き写真のプリント注文を開始する。画像プリント装置２の無線通信機能を利用して、サーバ装置１へ送信したものと同じ画像データ、及びサーバ装置１から通知された保存場所情報を、携帯端末４Ａから画像プリント装置２へ転送する（ステップＳ１０４）。
【００５９】
ユーザからの料金の支払いを受け付けると、画像プリント装置２は、保存場所情報をコード化して二次元コード画像を生成し、この二次元コード画像と、携帯端末４Ａから転送された画像データとを合成して、合成画像を生成する（ステップＳ１０５）。
【００６０】
プリンタ２３が、この合成画像を印画紙にプリントして出力する（ステップＳ１０６）。これにより、ユーザＡは、画像３１及び二次元コード３２がプリントされたプリント物３を入手することができる（ステップＳ１０７）。その後、ユーザＡは、動画登録可能なプリント物３を、ユーザＢに譲渡する（ステップＳ１０８）。
【００６１】
ユーザＢが、携帯端末４Ｂの動画登録再生アプリを実行し、動画登録モードを選択すると、カメラ４２が起動し、ディスプレイ４４上に二次元コードの読み取り指示が表示される。カメラ４２でプリント物３の二次元コード３２を撮影することで、携帯端末４Ｂは保存場所情報を取得する（ステップＳ１０９）。携帯端末４Ｂが、保存場所情報に基づきサーバ装置１にアクセスすると、サーバ装置１は、携帯端末４Ｂからアクセスされた際の保存場所情報に対応する動画データが未だ登録されていないことを携帯端末４Ｂに通知する。
【００６２】
この通知に基づき、携帯端末４Ｂのメモリ４１内の動画データが選択できるようになる。ユーザＢがいずれかの動画データを選択すると（ステップＳ１１０）、データ送信部５３が、選択された動画データをサーバ装置１へ送信する（ステップＳ１１１）。サーバ装置１は、携帯端末４Ｂから受信した動画データを、ステップＳ１０２で携帯端末４Ａから受信した画像データと紐付けて、データベース１７に保存する。その後、ユーザＢは、動画付き写真であるプリント物３を、ユーザＣに譲渡する（ステップＳ１１２）。
【００６３】
ユーザＣが、携帯端末４Ｃの動画登録再生アプリを実行し、動画再生モードを選択すると、カメラ４２が起動し、ディスプレイ４４上に二次元コードの読み取り指示が表示される。カメラ４２でプリント物３の二次元コード３２を撮影することで、携帯端末４Ｃは保存場所情報を取得する（ステップＳ１１３）。
【００６４】
携帯端末４Ｃの画像取得部７１は、保存場所情報に基づき、通信部４３を介してサーバ装置１にアクセスし、画像データを要求する（ステップＳ１１４）。サーバ装置１は、管理情報を参照し、携帯端末４Ｃからアクセスされた際の保存場所情報が示す動画データに対応する画像データを携帯端末４Ｃへ送信する（ステップＳ１１５）。
【００６５】
携帯端末４Ｃがサーバ装置１から画像データを受信すると、ディスプレイ４４上に画像３１の読み取り指示が表示される。カメラ４２でプリント物３の画像３１を撮影すると、特徴点比較部７２が、サーバ装置１から受信した画像と、カメラ４２で撮影した画像３１との特徴点を比較する（ステップＳ１１６）。特徴点が合致すると、携帯端末４Ｃはサーバ装置１に対し動画データを要求する（ステップＳ１１７）。
【００６６】
サーバ装置１は、ステップＳ１１５で携帯端末４Ｃへ送信した画像データに対応する動画データを携帯端末４Ｃへ送信する（ステップＳ１１８）。携帯端末４Ｃが動画データを受信すると、動画再生部７３が、公知のＡＲ技術を用いて、カメラ４２で撮影している画像３１に重畳させて動画データを再生する（ステップＳ１１９）。
【００６７】
このように、本実施形態によれば、画像プリント装置２から出力されたプリント物３を携帯端末４で撮影することで、プリント物３に動画が重畳して再生されるように携帯端末４へ動画データを配信することができる。
【００６８】
画像データ及び動画データは、ユーザ自らサーバ装置１に登録できる。また、動画データは、画像プリント装置２でプリント物３を作成・購入した後に登録できる。そのため、画像プリント装置２で作成されるプリント物３は、動画を登録するユーザや登録するタイミングの自由度が高いものとなる。
【００６９】
画像データの登録の際に、動画登録のためのパスワードを設定できるようにしてもよい。画像データ受信部１１は、画像データと共にパスワードを受信する。画像データを登録したユーザは、動画登録前のプリント物を他ユーザに譲渡する際にパスワードを伝えておく。サーバ装置１は、アクセスしてきた携帯端末４の端末情報を取得し、画像データを登録した携帯端末４と、動画データを登録する携帯端末４とが異なる場合は、パスワードの入力を求める。動画データを登録する携帯端末４から送信されたパスワードが、画像データ受信部１１が受信したパスワードと一致した場合、動画データの登録を受け付ける。これにより、第三者による不正な動画登録を防止できる。
【００７０】
動画登録に制限をかける方法はパスワード入力に限定されず、例えば、ＧＰＳ情報を用いたものでもよい。ＧＰＳ情報による制限により、所定の場所以外での動画登録を防止できる。
【００７１】
上記実施形態では１つの画像データに対し１つの動画データを紐付ける例について説明したが、複数の動画データが紐付けられるようにしてもよい。この場合、サーバ装置１の動画配信管理部１６は、携帯端末４から画像データを受信すると、１つの画像データに対し、複数の動画データを保存するための記憶領域を確保し、保存場所情報を生成して管理情報を作成する。動画配信管理部１６は、管理情報を参照し、保存場所情報に基づいて、１つの画像データ及び複数の動画データを特定することができる。
【００７２】
ユーザから動画データが登録される際に、動画を再生可能な期間や、再生可能な場所（ＧＰＳ情報）が設定できるようにしてもよい。また、１つの画像データに対し複数の動画データが登録される場合、動画毎に再生期間や再生時刻が設定できるようにしてもよい。
【００７３】
プリント物３が購入されずに、データだけがサーバ装置１に登録されたままとなることを防止するために、携帯端末４において動画登録再生アプリを実行することで期限管理部が実現されてもよい。例えば、サーバ装置１へ画像データを登録し、保存場所情報を受信した後、一定期間（例えば１ヶ月）以内に画像データ及び保存場所情報が画像プリント装置２へ転送されない場合、すなわちプリント物３の購入が行われていない場合、期限管理部は、携帯端末４のディスプレイ４４を用いて、未購入のプリント物３があることを報知したり、サーバ装置１に登録された画像データが消去されることをアラーム表示したりする。
【００７４】
また、期限管理部は、画像プリント装置２へ転送されていない画像データ及び保存場所情報の数が一定数に達した場合、すなわち未購入のプリント物３の数が一定数に達した場合に、携帯端末４のディスプレイ４４を用いて、未購入のプリント物３が溜まっていることを報知したり、サーバ装置１に登録された画像データが消去されることをアラーム表示したりしてもよい。これにより、プリント物３が購入されずに、画像データだけがサーバ装置１に登録されたままとなることを防止し、サーバ装置１の記憶領域を効率良く使用できる。
【００７５】
サーバ装置１は、動画再生のアクセスがあった場合のデータ保存期間（例えば２年）を定め、この保存期間の終了が近付くと、アクセス実績のある携帯端末４に対し、保存期間の終了が近いことを通知してもよい。サーバ装置１は、携帯端末４から、保存期間の延長や動画データの買い取りを有料で受け付けてもよい。料金の支払いは例えばクレジットカードを使用したオンライン決済で行われる。ユーザが保存期間の延長を選択した場合、サーバ装置１は、登録データの保存期間を延長する。ユーザが動画データの買い取りを選択した場合、サーバ装置１は携帯端末４へ動画データを送信し、この動画データをデータベース１７から削除する。これにより、再生されなくなった動画データがサーバ装置１に登録されたままとなることを防止し、サーバ装置１のデータベース１７を効率良く使用できる。
【００７６】
サーバ装置１は、携帯端末４の端末情報、携帯端末４にインストールされている動画登録再生アプリのアプリＩＤ、アクセス元ＩＰアドレス等を確認して、一定期間内に、同一の携帯端末４から登録（アップロード）される画像データのサイズや数を制限してもよい。
【００７７】
携帯端末４は、サーバ装置１へ送信した画像データをコピーし、コピーした画像データを編集不能となるように保持し、画像プリント装置２へ転送することが好ましい。また、画像プリント装置２は、携帯端末４から編集不能の画像データが転送された場合、自装置の編集（スタンプやフレームの追加等）機能を用いた画像編集を行えないように制御する。サーバ装置１への送信後、画像プリント装置２でのプリント前に画像データが編集されると、プリント物３上の編集された画像と、サーバ装置１に保存されている画像とで特徴点が不一致となり得るためである。
【００７８】
上記実施形態では、サーバ装置１が携帯端末４へ動画データを保存するための保存場所情報を通知する例について説明したが、サーバ装置１が、画像データの登録に伴い、保存場所情報の一部であるキー情報を携帯端末４へ通知し、携帯端末４がキー情報を用いて保存場所情報を生成してもよい。携帯端末４は、画像プリント装置２へ画像データを転送する際に、キー情報に枝番号を付加して保存場所情報を生成する。携帯端末４は、画像プリント装置２で作成するプリント物３の枚数に応じて、枝番号を変えた複数の保存場所情報を生成し、画像プリント装置２に送信する。これにより、画像プリント装置２からは、画像３１が同じで、二次元コード３２（保存場所情報）が異なる複数枚のプリント物３を出力することができる。
【００７９】
動画の登録時、サーバ装置１は、携帯端末４からアクセスされた際の保存場所情報に含まれるキー情報から画像データを特定し、この画像データに紐付けて動画データを登録する。動画配信管理部１６は、携帯端末４が作成した保存場所情報、保存場所情報に含まれるキー情報に対応する画像データ、及び登録された動画データの対応関係を示す管理情報を作成する。
【００８０】
携帯端末４が、生成した保存場所情報の数をサーバ装置１に通知するようにしてもよい。
【００８１】
サーバ装置１に登録した動画データを変更できるようにしてもよい。これにより、ユーザが誤った動画データを登録した場合、正しい動画データに差し替えることができる。
【００８２】
上述した実施形態で説明した動画データ配信システムの少なくとも一部は、ハードウェアで構成してもよいし、ソフトウェアで構成してもよい。ソフトウェアで構成する場合には、動画データ配信システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００８３】
また、動画データ配信システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００８４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８５】
１  サーバ装置
２  画像プリント装置
３  プリント物
４  携帯端末
【図１】
0006520438.tif 000002
【図２】
0006520438.tif 000003
【図３】
0006520438.tif 000004
【図４】
0006520438.tif 000005
【図５】
0006520438.tif 000006
【図６】
0006520438.tif 000007
【図７】
0006520438.tif 000008
【図８】
0006520438.tif 000009